(57)【要約】【課題】周囲の導体に対する絶縁性の向上、および製造コストの低減を図る。【解決手段】巻線部２３およびリード部２４を有する巻線部品本体３と、巻線部品本体３が接着固定された台座２と、巻線部品本体３の巻線部２３を覆うように台座２に接着固定されたカバー４とを備え、台座２には、第１固定部１１および第２固定部１２が設けられ、第２固定部１２には、リード部２４を第２固定部１２に接着固定している接着剤５が配設された凹部１５が形成され、巻線部品本体３は、巻線部２３が第１固定部１１に接着固定されると共に、リード部２４が凹部１５上に掛け渡された状態で凹部１５内の接着剤５によって第２固定部１２に接着固定され、カバー４は、凹部１５上に掛け渡されたリード部２４を凹部１５の底部に向けて押圧するように配設されて凹部１５内の接着剤５によってリード部２４と共に第２固定部１２に接着固定されている。【選択図】図２
2015216181.tif 000002
【特許請求の範囲】
【請求項１】
導線が巻回されて構成された巻線部および当該巻線部から引き出された当該導線の両端部で形成されるリード部を有する巻線部品本体と、当該巻線部品本体が接着固定された台座と、当該台座に接着固定された前記巻線部品本体における前記巻線部を覆うように当該台座に接着固定されたカバーとを備え、
前記台座には、前記巻線部が接着固定された第１固定部、および前記リード部が接着固定された第２固定部が設けられ、
前記第２固定部には、前記リード部を当該第２固定部に接着固定している接着剤が配設された凹部が形成され、
前記巻線部品本体は、前記巻線部が前記第１固定部に接着固定されると共に、前記リード部が前記凹部上に掛け渡された状態で当該凹部内の前記接着剤によって前記第２固定部に接着固定され、
前記カバーは、前記凹部上に掛け渡された前記リード部を当該凹部の底部に向けて押圧するように配設されて当該凹部内の前記接着剤によって当該リード部と共に前記第２固定部に接着固定されている巻線部品。
【請求項２】
前記カバーは、係合用凸部および係合用凹部のいずれか一方が形成されると共に、前記台座に形成された係合用凸部および係合用凹部の他方に当該いずれか一方が係合させられている請求項１記載の巻線部品。
【請求項３】
前記第２固定部には、前記リード部の先端部が当該台座の底部に向けて挿通させられた挿通孔が前記凹部と並んで形成され、
前記巻線部品本体は、前記リード部が、前記凹部内の前記接着剤によって接着固定された部位よりも端部寄りの位置で折り曲げられて前記先端部が前記挿通孔に挿通させられている請求項１または２記載の巻線部品。
【請求項４】
導線が巻回されて構成された巻線部および当該巻線部から引き出された当該導線の両端部で形成されるリード部を有する巻線部品本体と、当該巻線部品本体が接着固定された台座と、当該台座に接着固定された前記巻線部品本体における前記巻線部を覆うように当該台座に接着固定されたカバーとを備えた巻線部品を製造する際に、
前記巻線部が接着固定される第１固定部、および前記リード部が接着固定される第２固定部が設けられると共に、前記リード部を当該第２固定部に接着固定する接着剤が配設される凹部が当該第２固定部に形成された台座を用いて、
前記第１固定部、および前記第２固定部の前記凹部に前記接着剤を配設する第１処理と、
前記第１固定部に配設した前記接着剤に前記巻線部を接触させ、かつ前記リード部を前記凹部上に掛け渡した状態で当該凹部内の前記接着剤に接触させた状態とする第２処理と、
前記凹部上に掛け渡した前記リード部を当該凹部の底部に向けて押圧するように前記カバーを配設することで当該凹部内の前記接着剤に当該カバーを接触させた状態とする第３処理とを実行し、
その後に前記接着剤を硬化させることにより、前記第１固定部に配設した前記接着剤によって前記巻線部を当該第１固定部に接着固定すると共に、前記凹部内の接着剤によって前記リード部および前記カバーの双方を前記第２固定部に接着固定する巻線部品の製造方法。
【発明の詳細な説明】
【技術分野】
【０００１】
本発明は、巻線部品本体と、巻線部品本体が接着固定された台座と、巻線部品本体における巻線部を覆うように配設された状態で台座に接着固定されたカバーとを備えた巻線部品、並びに、そのような巻線部品を製造する巻線部品の製造方法に関するものである。
【背景技術】
【０００２】
例えば、下記の特許文献には、巻線が巻回されたトロイダルコアが端子台に接着固定されて巻線およびトロイダルコアが端子台と一体化されているトロイダルコイルおよびその製造方法が開示されている。
【０００３】
このトロイダルコイルの製造に際しては、まず、トロイダルコアに巻線を巻回する。次いで、端子台における端子台本体にトロイダルコアを装着する。この際には、端子台本体のトロイダルコア収納用切り欠き部に接着剤を塗布すると共に、トロイダルコアに巻回されている巻線の先端部（端子として機能させる部位）を、端子台本体に形成されている貫通孔に貫通させるようにしてトロイダルコアをトロイダルコア収納用切り欠き部に押し当てる。これにより、巻線およびトロイダルコアと端子台（端子台本体）とが一体化した状態となる。続いて、端子台本体の貫通孔を貫通させた巻線の先端部を下向きに折り曲げ、その状態の巻線を押さえ込むようにして端子台本体に端子固定部品を装着する。これにより、巻線における先端部が端子として機能するように端子台本体の底面から下方に突出させられた状態で端子台に固定されて、トロイダルコイルが完成する。
【先行技術文献】
【特許文献】
【０００４】
【特許文献１】特開平６−２３１９６３号公報（第２−３頁、第１−６図）
【発明の概要】
【発明が解決しようとする課題】
【０００５】
ところが、従来のトロイダルコイル、およびその製造方法には、以下の解決すべき課題が存在する。すなわち、従来のトロイダルコイルでは、巻線が巻回されたトロイダルコア（コアに巻回された巻線からなる巻線部）が端子台本体に接着固定されると共に、端子台本体を貫通させられた巻線の先端部（リード部）が端子台本体に装着された端子固定部品によって端子台本体に固定されている。したがって、従来のトロイダルコイルでは、トロイダルコア（巻線部）を保持するための端子台本体に加えて、巻線の先端部（リード部）を端子台本体に固定するための端子固定部品を別途製作する必要があることから、端子固定部品の部品コストの分だけ、その製造コストが増加しているという課題がある。
【０００６】
一方、この種の巻線部品では、巻線部を構成する導線（上記のトロイダルコイルにおける巻線）として絶縁被覆線が採用されており、使用状態において巻線部品の周囲に位置する各種導体（ケーシング、基板、および搭載部品等）に対して巻線部の絶縁性が確保されている。この場合、巻線部品の用途によっては、巻線部を構成する導線と、巻線部品の周囲に位置する各種導体との間の絶縁性を一層向上させる必要が生じることがあり、かかる場合には、一例として、巻線部の周囲に絶縁テープ等を巻回したり、巻線部を絶縁性樹脂材料でモールドしたりする構成が採用される。しかしながら、絶縁テープ等の巻回作業が煩雑であり、また、樹脂材料によってモールドするには、モールド用の設備を要するため、製造コストの増加を招くこととなる。
【０００７】
そこで、出願人は、台座（上記のトロイダルコイルにおける端子台）に接着固定した巻線部（上記のトロイダルコイルにおけるトロイダルコア、およびその周囲の巻線）を覆うカバーを製作し、台座に巻線部を接着固定した後に、巻線部を覆うようにして台座にカバーを接着固定することで巻線部の絶縁性を向上させた巻線部品を開発した。このような構成を採用することにより、絶縁テープ等を巻回する煩雑な作業や、モールド用の設備が不要となる分だけ、製造コストの増加を招くことなく巻線部の絶縁性を向上させることが可能となった。しかしながら、出願人が開発した巻線部品では、台座に接着剤を塗布して巻線部を接着固定する工程と、台座およびカバーのいずれかに接着剤を塗布して台座にカバーを接着する工程とを別個に行っているため、この点を改善して製造コストを一層低減するのが好ましい。
【０００８】
本発明は、かかる解決すべき課題に鑑みてなされたものであり、周囲の導体に対する絶縁性の向上、および製造コストの低減を図り得る巻線部品および巻線部品の製造方法を提供することを主目的とする。
【課題を解決するための手段】
【０００９】
上記目的を達成すべく請求項１記載の巻線部品は、導線が巻回されて構成された巻線部および当該巻線部から引き出された当該導線の両端部で形成されるリード部を有する巻線部品本体と、当該巻線部品本体が接着固定された台座と、当該台座に接着固定された前記巻線部品本体における前記巻線部を覆うように当該台座に接着固定されたカバーとを備え、前記台座には、前記巻線部が接着固定された第１固定部、および前記リード部が接着固定された第２固定部が設けられ、前記第２固定部には、前記リード部を当該第２固定部に接着固定している接着剤が配設された凹部が形成され、前記巻線部品本体は、前記巻線部が前記第１固定部に接着固定されると共に、前記リード部が前記凹部上に掛け渡された状態で当該凹部内の前記接着剤によって前記第２固定部に接着固定され、前記カバーは、前記凹部上に掛け渡された前記リード部を当該凹部の底部に向けて押圧するように配設されて当該凹部内の前記接着剤によって当該リード部と共に前記第２固定部に接着固定されている。
【００１０】
また、請求項２記載の巻線部品は、請求項１記載の巻線部品において、前記カバーは、係合用凸部および係合用凹部のいずれか一方が形成されると共に、前記台座に形成された係合用凸部および係合用凹部の他方に当該いずれか一方が係合させられている。
【００１１】
さらに、請求項３記載の巻線部品は、請求項１または２記載の巻線部品において、前記第２固定部には、前記リード部の先端部が当該台座の底部に向けて挿通させられた挿通孔が前記凹部と並んで形成され、前記巻線部品本体は、前記リード部が、前記凹部内の前記接着剤によって接着固定された部位よりも端部寄りの位置で折り曲げられて前記先端部が前記挿通孔に挿通させられている。
【００１２】
また、請求項４記載の巻線部品の製造方法は、導線が巻回されて構成された巻線部および当該巻線部から引き出された当該導線の両端部で形成されるリード部を有する巻線部品本体と、当該巻線部品本体が接着固定された台座と、当該台座に接着固定された前記巻線部品本体における前記巻線部を覆うように当該台座に接着固定されたカバーとを備えた巻線部品を製造する際に、前記巻線部が接着固定される第１固定部、および前記リード部が接着固定される第２固定部が設けられると共に、前記リード部を当該第２固定部に接着固定する接着剤が配設される凹部が当該第２固定部に形成された台座を用いて、前記第１固定部、および前記第２固定部の前記凹部に前記接着剤を配設する第１処理と、前記第１固定部に配設した前記接着剤に前記巻線部を接触させ、かつ前記リード部を前記凹部上に掛け渡した状態で当該凹部内の前記接着剤に接触させた状態とする第２処理と、前記凹部上に掛け渡した前記リード部を当該凹部の底部に向けて押圧するように前記カバーを配設することで当該凹部内の前記接着剤に当該カバーを接触させた状態とする第３処理とを実行し、その後に前記接着剤を硬化させることにより、前記第１固定部に配設した前記接着剤によって前記巻線部を当該第１固定部に接着固定すると共に、前記凹部内の接着剤によって前記リード部および前記カバーの双方を前記第２固定部に接着固定する。
【発明の効果】
【００１３】
請求項１記載の巻線部品では、巻線部品本体における巻線部が台座における第１固定部に接着固定されると共に、巻線部から引き出されたリード部が台座における凹部上に掛け渡された状態で凹部内の接着剤によって第２固定部に接着固定され、かつ、凹部上に掛け渡されたリード部を凹部の底部に向けて押圧するようにカバーが配設されて凹部内の接着剤によってリード部と共に第２固定部にカバーが接着固定されている。また、請求項４記載の巻線部品の製造方法では、台座２における第１固定部および第２固定部の凹部に接着剤を配設する第１処理と、第１固定部に配設した接着剤に巻線部品本体における巻線部を接触させ、かつリード部を凹部上に掛け渡した状態で凹部内の接着剤に接触させた状態とする第２処理と、凹部上に掛け渡したリード部を凹部の底部に向けて押圧するようにカバーを配設することで凹部内の接着剤にカバーを接触させた状態とする第３処理とを実行し、その後に接着剤を硬化させることにより、第１固定部に配設した接着剤によって巻線部を第１固定部に接着固定すると共に、凹部内の接着剤によってリード部およびカバーの双方を第２固定部に接着固定して巻線部品を製造する。
【００１４】
したがって、請求項１記載の巻線部品、および請求項４記載の巻線部品の製造方法によれば、巻線部品本体における巻線部に絶縁テープ等を巻回したり巻線部を絶縁性樹脂材料等によってモールドしたりする構成・製造方法とは異なり、台座にカバーを装着するだけで、巻線部を周囲の導体から好適に絶縁することができ、これにより、絶縁テープ等を巻回する煩雑な作業や、モールド用の設備が不要となる分だけ、絶縁性が高い巻線部品を低コストで製造することができる。また、リード部を台座に固定するための専用の部品（従来のトロイダルコイルにおける端子固定部品に相当する部材）を別途製作することなく、台座に装着するカバーによってリード部を台座の第２固定部に固定することができるため、巻線部品の製造コストを十分に低減することができ、しかも、台座に巻線部品本体を接着する作業と、台座にカバーを接着固定する作業とを別個に行ってこれらを一体化した構成・製造方法とは異なり、第１固定部に接着剤を滴下する工程、および第２固定部に接着剤を滴下する工程を行い、その後に、巻線部品本体やカバーを台座上に配設するだけでこれらを一体化させることができるため、作業工程が少なくなる分だけ、巻線部品の製造コストを一層低減することができる。
【００１５】
また、請求項２記載の巻線部品によれば、カバーに形成した係合用凸部および係合用凹部のいずれか一方を、台座に形成した係合用凸部および係合用凹部の他方に係合させたことにより、リード部を押さえるようにして台座にカバーを装着することで、カバーに形成されている係合用凸部および係合用凹部のいずれか一方が台座に形成されている係合用凸部および係合用凹部の他方に係合した状態が維持されるため、凹部内の接着剤が硬化するまでカバーを台座に対して押し付けた状態で押さえていなくても、凹部内の接着剤によってリード部およびカバーを台座に対して好適に接着固定することができる。
【００１６】
さらに、請求項３記載の巻線部品によれば、巻線部品本体における巻線部から引き出されたリード部を凹部内の接着剤によって接着固定された部位よりも端部寄りの位置で折り曲げて、その先端部を台座における挿通孔に挿通させたことにより、リード部において凹部内の接着剤によって接着固定された部位よりも先端部側の部位が挿通孔の内面に接した状態で保持されるため、凹部内の接着剤およびカバーによる押圧だけでリード部を台座に固定する構成・製造方法と比較して、挿通孔によって保持される分だけ、台座に対するリード部の移動を好適に規制することができ、これにより、台座に対してリード部を一層確実に固定することができる。
【図面の簡単な説明】
【００１７】
【図１】トロイダルコイル１の外観斜視図である。
【図２】トロイダルコイル１の断面図である。
【図３】トロイダルコイル１の分解斜視図である。
【図４】台座２における第２固定部１２の構成要素とカバー４における導線押圧部３２の構成要素との位置関係を説明するための断面図である。
【図５】台座２における第２固定部１２の凹部１５に接着剤５を滴下した状態を示す断面図である。
【図６】台座２上に巻線部品本体３を載置した状態の断面図である。
【図７】台座２上に巻線部品本体３を載置した状態の外観斜視図である。
【図８】図６，７に示す台座２にカバー４を装着した状態を示す断面図である。
【発明を実施するための形態】
【００１８】
以下、本発明に係る巻線部品、および巻線部品の製造方法実施の形態について、添付図面を参照して説明する。
【００１９】
図１，２に示すトロイダルコイル１は、「巻線部品」の一例であって、台座２、巻線部品本体３およびカバー４を備えて構成されている。巻線部品本体３は、「巻線部品本体」の一例であって、図２，３に示すように、円環状のコア２１の周囲に導線２２（絶縁被覆線）が巻回されて「巻線部」の一例である巻線部２３が構成されると共に、巻線部２３から引き出された導線２２の両端部でリード部２４が形成されている。この場合、本例のトロイダルコイル１では、後述するように台座２に固定された状態のリード部２４の先端部が、トロイダルコイル１（巻線部品本体３）を搭載対象基板に接続するための接続用端子として機能するように構成されている。
【００２０】
一方、台座２は、「台座」に相当し、一例として、絶縁性樹脂材料で形成されている。この台座２は、巻線部品本体３における巻線部２３が接着固定された第１固定部１１と、巻線部品本体３における一対のリード部２４がそれぞれ接着固定された第２固定部１２，１２とが設けられている。この場合、本例のトロイダルコイル１では、平面視において第１固定部１１を挟んで対向する位置に両第２固定部１２，１２がそれぞれ設けられている。また、第２固定部１２には、リード部２４を第２固定部１２に接着している接着剤５が配設された凹部１５が形成されている。
【００２１】
この場合、図４〜７に示すように、本例の台座２では、凹部１５を構成する各側壁のうちの第１固定部１１側の側壁１５ａ、および側壁１５ａに対向する側壁１５ｂにおいてリード部２４が配設される部位の近傍がそれぞれ切り欠かれている。また、本例の台座２では、側壁１５ａにおける上記の切欠き部位の凹部１５の底部からの高さが、側壁１５ｂにおける上記の切欠き部位の凹部１５の底部からの高さよりも低背となるように形成されている。
【００２２】
さらに、図１〜３に示すように、第２固定部１２には、リード部２４の先端部が台座２の底部に向けて挿通させられた挿通孔１６が上記の凹部１５と並んで形成されている。この場合、本例のトロイダルコイル１では、上記の巻線部品本体３におけるリード部２４が、台座２の第２固定部１２における凹部１５内の接着剤５によって接着固定された部位よりも端部寄りの位置でＬ字状に折り曲げられ、その先端部が挿通孔１６に挿通させられて台座２の底面から下方に突出させられている。また、本例のトロイダルコイル１では、リード部２４において台座２の底面から下方に突出させられた部位を接続用端子として機能させるように構成されている。
【００２３】
また、図３に示すように、台座２には、後述するようにカバー４を台座２に係合固定させるための係合用凹部１３が形成されている（「係合用凸部および合用凹部の他方」が「係合用凹部」の構成の例）。さらに、図１，３に示すように、台座２には、後述するように台座２に接着固定される巻線部品本体３におけるリード部２４の先端部（接続用端子として機能させる部位）と相まってトロイダルコイル１を搭載対象基板に固定するための複数の固定用端子１４，１４・・が植設されている。
【００２４】
また、カバー４は、「カバー」に相当し、一例として、絶縁性樹脂材料で形成されて、台座２に接着固定された巻線部品本体３における巻線部２３を覆うようにして台座２に接着固定されている。このカバー４は、図３に示すように、巻線部２３を覆うように側面視半環状に形成されたカバー本体３１と、カバー本体３１の下端部側部位を連結すると共にカバー４を台座２に接着固定するための固定用爪部３５、および台座２に接着固定された状態で巻線部品本体３におけるリード部２４を位置決めする位置決め用凹部３６が設けられた導線押圧部３２とが形成されている。また、カバー４には、台座２の係合用凹部１３に係合可能な係合用凸部３３が形成されている（「係合用凸部および係合用凹部のいずれか一方」が「係合用凸部」の構成の例）。
【００２５】
次に、トロイダルコイル１の製造方法について、添付図面を参照して説明する。
【００２６】
上記のトロイダルコイル１の製造に際しては、まず、固定用端子１４が埋設された台座２と、カバー４とをそれぞれ成形すると共に、コア２１に導線２２を巻回して巻線部品本体３を製作する。この際に、巻線部品本体３については、巻線部２３から引き出した導線２２で形成されるリード部２４を、後に台座２の第２固定部１２に接着固定される部位よりも端部寄りの位置で下向きに折り曲げることで台座２の挿通孔１６に挿入可能な状態としておく。また、リード部２４の折曲げ加工に際しては、両リード部２４，２４の先端部（接続用端子として機能させる部位）が互いに並行となり、かつ、図６に示すように、後の工程において巻線部２３を第１固定部１１に載置した際にリード部２４が第２固定部１２の側壁１５ｂにおける切欠き部位対して非接触状態となるように巻線部２３から遠ざかるほど導線２２を上方に位置させる。
【００２７】
次いで、台座２に巻線部品本体３およびカバー４を接着固定することにより、これらを一体化させる。具体的には、まず、台座２の第１固定部１１および第２固定部１２，１２に、ディスペンサー等を用いて未硬化状態の接着剤５を滴下する（「接着剤」の配設：「第１処理」の一例）。この際には、巻線部品本体３の巻線部２３を第１固定部１１に固定するのに十分な量の接着剤５を第１固定部１１に滴下すると共に、図５に示すように、第２固定部１２に滴下した接着剤５の頂部が側壁１５ａ，１５ｂにおける切欠き部位よりも高くなるように第２固定部１２の凹部１５内に十分な量の接着剤５を滴下する。
【００２８】
次いで、図７に示すように、巻線部品本体３におけるリード部２４の先端部を台座２の第２固定部１２における挿通孔１６に挿通させるようにして台座２上に巻線部品本体３を載置する。この際には、巻線部品本体３の巻線部２３が第１固定部１１上に載置されることにより、第１固定部１１に滴下されている接着剤５に巻線部２３が接触した状態となり、かつ、リード部２４が第２固定部１２の凹部１５上に掛け渡された状態となることにより、凹部１５内に滴下されている接着剤５にリード部２４が接触した状態となる（「第２処理」の一例）。
【００２９】
この場合、本例では、前述したように、第２固定部１２における凹部１５を構成する第１固定部１１側の側壁１５ａの切欠き部が側壁１５ｂの切欠き部よりも低背に形成されると共に、巻線部品本体３の製作（リード部２４の折曲げ加工）に際して巻線部２３から遠ざかるほど導線２２が上方に位置するようにリード部２４が折り曲げられている。このため、図６に示すように、台座２上に巻線部品本体３を載置した状態において、凹部１５における側壁１５ａ，１５ｂの両切欠き部に対してリード部２４が非接触の状態となる。これにより、巻線部２３が第１固定部１１の底部に接する以前にリード部２４が側壁１５ａ，１５ｂに接した状態となって巻線部２３が第１固定部１１の底部から離間した状態（巻線部品本体３が第１固定部１１から浮いた状態）となるのが回避される。
【００３０】
次いで、台座２にカバー４を装着する。具体的には、台座２上の巻線部品本体３における巻線部２３がカバー本体３１によって覆われ、かつ、第２固定部１２の凹部１５上に掛け渡されているリード部２４が導線押圧部３２における位置決め用凹部３６の下縁部によって凹部１５の底部に向けて押圧されるようにカバー４を台座２に装着する。この際には、図８に示すように、カバー４の導線押圧部３２に形成された固定用爪部３５が凹部１５内の接着剤５に接触した状態（接着剤５内に固定用爪部３５が差し込まれた状態）になると共に（「第３処理」の一例）、カバー４の係合用凸部３３が台座２の係合用凹部１３に係合させられて台座２に対するカバー４の上動が規制された状態となる。
【００３１】
この状態において、第１固定部１１内の接着剤５、および第２固定部１２（凹部１５）内の接着剤５を硬化させる。具体的には、接着剤５として常温硬化型の接着剤を採用しているときには、カバー４の装着を完了した状態の上記の中間体を所定時間放置することで接着剤５を硬化させ、接着剤５として熱硬化型の接着剤を採用しているときには、上記の中間体を加熱することで接着剤５を硬化させる。これにより、第１固定部１１に配設した接着剤５によって巻線部２３が第１固定部１１に固定されると共に、第２固定部１２における凹部１５内の接着剤５によってリード部２４およびカバー４（固定用爪部３５）の双方が第２固定部１２に固定されて、図１，２に示すように、トロイダルコイル１が完成する。
【００３２】
このように、このトロイダルコイル１では、巻線部品本体３における巻線部２３が台座２における第１固定部１１に接着固定されると共に、巻線部品本体３におけるリード部２４が台座２における凹部１５上に掛け渡された状態で凹部１５内の接着剤５によって第２固定部１２に接着固定され、かつ、凹部１５上に掛け渡されたリード部２４を凹部１５の底部に向けて押圧するようにカバー４が配設されて凹部１５内の接着剤５によってリード部２４と共に第２固定部１２にカバー４が接着固定されている。
【００３３】
また、このトロイダルコイル１の製造方法によれば、台座２における第１固定部１１および第２固定部１２の凹部１５に接着剤５を配設する「第１処理」と、第１固定部１１に配設した接着剤５に巻線部品本体３における巻線部２３を接触させ、かつ巻線部品本体３におけるリード部２４を凹部１５上に掛け渡した状態で凹部１５内の接着剤５に接触させた状態とする「第２処理」と、凹部１５上に掛け渡したリード部２４を凹部１５の底部に向けて押圧するようにカバー４を配設することで凹部１５内の接着剤５にカバー４を接触させた状態とする「第３処理」とを実行し、その後に接着剤５を硬化させることにより、第１固定部１１に配設した接着剤５によって巻線部２３を第１固定部１１に接着固定すると共に、凹部１５内の接着剤５によってリード部２４およびカバー４の双方を第２固定部１２に接着固定してトロイダルコイル１を製造する。
【００３４】
したがって、このトロイダルコイル１、およびその製造方法によれば、巻線部品本体３における巻線部２３に絶縁テープ等を巻回したり巻線部２３を絶縁性樹脂材料等によってモールドしたりする構成・製造方法とは異なり、台座２にカバー４を装着するだけで、巻線部２３を周囲の導体から好適に絶縁することができ、これにより、絶縁テープ等を巻回する煩雑な作業や、モールド用の設備が不要となる分だけ、絶縁性が高いトロイダルコイル１を低コストで製造することができる。また、リード部２４を台座２に固定するための専用の部品（従来のトロイダルコイルにおける端子固定部品に相当する部材）を別途製作することなく、台座２に装着するカバー４によってリード部２４を台座２の第２固定部１２に固定することができるため、トロイダルコイル１の製造コストを十分に低減することができ、しかも、台座２に巻線部品本体３を接着する作業と、台座２にカバー４を接着固定する作業とを別個に行ってこれらを一体化した構成・製造方法とは異なり、第１固定部１１に接着剤５を滴下する工程、および第２固定部１２に接着剤５を滴下する工程を行い、その後に、巻線部品本体３やカバー４を台座２上に配設するだけでこれらを一体化させることができるため、作業工程が少なくなる分だけ、トロイダルコイル１の製造コストを一層低減することができる。
【００３５】
また、このトロイダルコイル１、およびその製造方法によれば、カバー４に形成した係合用凸部３３を台座２に形成した係合用凹部１３に係合させたことにより、リード部２４を押さえるようにして台座２にカバー４を装着することで、係合用凹部１３に係合用凸部３３が係合した状態が維持されるため、凹部１５内の接着剤５が硬化するまでカバー４を台座２に対して押し付けた状態で押さえていなくても、凹部１５内の接着剤５によってリード部２４およびカバー４（固定用爪部３５）を台座２に対して好適に接着固定することができる。
【００３６】
さらに、このトロイダルコイル１、およびその製造方法によれば、巻線部品本体３におけるリード部２４を凹部１５内の接着剤５によって接着固定された部位よりも端部寄りの位置で折り曲げて、その先端部を台座２における挿通孔１６に挿通させたことにより、リード部２４において凹部１５内の接着剤によって接着固定された部位よりも先端部側の部位が挿通孔１６の内面に接した状態で保持された状態となるため、凹部１５内の接着剤およびカバー４による押圧だけでリード部２４を台座２に固定する構成・製造方法と比較して、挿通孔１６によって保持される分だけ、台座２に対するリード部２４の移動を好適に規制することができ、これにより、台座２に対してリード部２４を一層確実に固定することができる。
【００３７】
なお、「巻線部品」の構成や、「巻線部品の製造方法」の手順は、上記のトロイダルコイル１の構成、およびその製造時における上記の手順の例に限定されない。例えば、上記のトロイダルコイル１の構成、およびその製造方法に代えて、「台座」に「係合用凸部」を形成し、かつ「カバー」に「係合用凹部」を形成して、「台座」の「係合用凸部」を「カバー」の「係合用凹部」に係合させることで、「凹部」内の「接着剤」と相まって「台座」に「カバー」を固定する構成・方法や（図示せず）、「台座」および「カバー」に「係合用凸部」や「係合用凹部」を形成せずに「凹部」内の「接着剤」だけで「台座」に「カバー」を固定する構成・方法（図示せず）を採用することもできる。
【００３８】
また、例えば、リード部２４を折り曲げることなく、「台座」から横向きに突出させて接続用端子として機能させる構成・方法を採用することもできる。さらに、「巻線部品」の一例であるトロイダルコイル１の構成、およびその製造方法を例に挙げて説明したが、トロイダルコイルに限定されず、トランスやコイルなどの各種の「巻線部品」において、「巻線部品本体」と共に「カバー」を「台座」に接着固定する構成・製造方法を採用することができる。
【符号の説明】
【００３９】
１  トロイダルコイル
２  台座
３  巻線部品本体
４  カバー
５  接着剤
１１  第１固定部
１２  第２固定部
１３  係合用凹部
１４  固定用端子
１５  凹部
１５ａ，１５ｂ  側壁
１６  挿通孔
２１  コア
２２  導線
２３  巻線部
２４  リード部
３１  カバー本体
３２  導線押圧部
３３  係合用凸部
３５  固定用爪部
３６  位置決め用凹部
【図１】
2015216181.tif 000003
【図２】
2015216181.tif 000004
【図３】
2015216181.tif 000005
【図４】
2015216181.tif 000006
【図５】
2015216181.tif 000007
【図６】
2015216181.tif 000008
【図７】
2015216181.tif 000009
【図８】
2015216181.tif 000010